(57)【要約】      （修正有）【課題】表示ユニットの位置に応じて制御を加えることができる電子機器を提供する。【解決手段】電子機器は、本体ユニットと、本体ユニットの内部に収容されるとともに、磁気ディスク４７に対して情報の読み書きを行うヘッド４８を有したハードディスクドライブ２７と、本体ユニットに対して被さった第１の位置と、本体ユニットに対して起立した第２の位置との間で回転できる表示ユニットと、表示ユニットの設置角度を感知する感知部３４と、感知部で表示ユニットの設置角度の変化を感知した際に、ヘッド４８を退避位置に退避させる制御部と、を具備する。【選択図】図２
2011170929.tif 000002
【特許請求の範囲】
【請求項１】
本体ユニットと、
前記本体ユニットの内部に収容されるとともに、磁気ディスクに対して情報の読み書きを行うヘッドを有したハードディスクドライブと、
前記本体ユニットに対して被さった第１の位置と、前記本体に対して起立した第２の位置との間で回転できる表示ユニットと、
前記表示ユニットの設置角度を感知する感知部と、
前記感知部で前記表示ユニットの設置角度の変化を感知した際に、前記ヘッドを退避位置に退避させる制御部と、
を具備することを特徴とすることを特徴とする電子機器。
【請求項２】
前記感知部は、可変抵抗器であることを特徴とする請求項１に記載の電子機器。
【請求項３】
前記感知部は、前記表示ユニットが前記第１の位置にあることを検出する検出スイッチを兼ねたことを特徴とする請求項２に記載の電子機器。
【請求項４】
前記感知部は、ロータリエンコーダであることを特徴とする請求項１に記載の電子機器。
【請求項５】
第１の表示部を有した第１のユニットと、
前記第１のユニットに対して被さった第１の位置と、前記第１のユニットに対して開いた第２の位置と、前記第１の位置と前記第２の位置との略中間に位置する第３の位置と、の間で回転できるとともに、第２の表示部を有した第２のユニットと、
前記第１の表示部および前記第２の表示部に文書の当該ページを表示させるとともに、所定の時間内に前記第２のユニットを前記第２の位置から前記第３の位置に移動させ、且つ前記第３の位置から前記第２の位置に戻した際に、前記第１の表示部および前記第２の表示部に前記文書の当該ページの次にある次ページを表示させる制御部と、
を具備することを特徴とする電子機器。
【請求項６】
本体ユニットと、
前記本体ユニットに対して被さった第１の位置と、前記本体ユニットに対して起立した第２の位置との間で回転できるとともに、表示部を有する表示ユニットと、
前記表示ユニットの設置角度を感知する感知部と、
前記感知部で前記表示ユニットの設置角度の変化を感知した際に、前記表示部の輝度および色彩をユーザが見易いように調整する制御部と、
を具備することを特徴とする電子機器。
【請求項７】
本体ユニットと、
前記本体ユニットに対して被さった第１の位置と、前記本体ユニットに対して起立した第２の位置との間で回転できる表示ユニットと、
前記表示ユニットの設置角度を抵抗値の変化で感知する可変抵抗器と、
前記本体ユニットの内部に収容されるとともに、前記可変抵抗器で感知された抵抗値の変化量を累積して記憶する記憶部と、
を具備することを特徴とする電子機器。
【発明の詳細な説明】
【技術分野】
【０００１】
本発明は、表示ユニットを有した電子機器に関する。
【背景技術】
【０００２】
ディスプレイの開閉動作に起因した衝撃からハードディスク装置を保護した携帯通信端末が開示されている。この携帯通信端末では、ＣＰＵは、開状態検出スイッチおよび閉状態検出スイッチのいずれか一方の信号がＯＮからＯＦＦに変化したことを検出した場合には、使用者による携帯情報端末の開動作または閉動作が行われたと判断する。この場合には、動作が完了して開状態または閉状態になった瞬間に携帯通信端末に衝撃が発生することを予測して、ＨＤＤのヘッドを安全な位置に退避してＨＤＤのディスクおよびヘッドが故障することを防止する。
【０００３】
より詳細には、開状態検出スイッチは、携帯通信端末が開状態から所定角度閉じるまでの間はＯＮ状態を保つ。このため、ＣＰＵは、携帯通信端末が開状態から所定量閉じたときに使用者による閉動作を検出する。同様に、閉状態検出スイッチは、携帯通信端末が閉状態から所定角度開くまでの間はＯＮ状態を保つ。このため、ＣＰＵは、携帯通信端末が閉状態から所定量開いたときに使用者による開動作を検出する（例えば、特許文献１参照）。
【先行技術文献】
【特許文献】
【０００４】
【特許文献１】特開２００７−１８１１８８号公報
【発明の概要】
【発明が解決しようとする課題】
【０００５】
しかしながら、一般的な電子機器では、開状態のままでディスプレイの設置角度を調整したりする場合も多いが、上記従来の携帯通信端末では、開状態のままでディスプレイの設置角度を調整したりする場合に対応することができず、改良の余地があった。
【０００６】
本発明の目的は、表示ユニットの位置に応じて制御を加えることができる電子機器を提供することにある。
【課題を解決するための手段】
【０００７】
前記目的を達成するため、本発明の一つの形態に係る電子機器は、本体ユニットと、前記本体ユニットの内部に収容されるとともに、磁気ディスクに対して情報の読み書きを行うヘッドを有したハードディスクドライブと、前記本体ユニットに対して被さった第１の位置と、前記本体ユニットに対して起立した第２の位置との間で回転できる表示ユニットと、前記表示ユニットの設置角度を感知する感知部と、前記感知部で前記表示ユニットの設置角度の変化を感知した際に、前記ヘッドを退避位置に退避させる制御部と、を具備する。
【０００８】
前記目的を達成するため、本発明の他の形態に係る電子機器は、第１の表示部を有した第１のユニットと、前記第１のユニットに対して被さった第１の位置と、前記第１のユニットに対して開いた第２の位置と、前記第１の位置と前記第２の位置との略中間に位置する第３の位置と、の間で回転できるとともに、第２の表示部を有した第２のユニットと、前記第１の表示部および前記第２の表示部に文書の当該ページを表示させるとともに、所定の時間内に前記第２のユニットを前記第２の位置から前記第３の位置に移動させ、前記第３の位置から前記第２の位置に戻した際に、前記第１の表示部および前記第２の表示部に前記文書の当該ページの次にある次ページを表示させる制御部と、を具備する。
【０００９】
前記目的を達成するため、本発明の他の形態に係る電子機器は、本体ユニットと、前記本体ユニットに対して被さった第１の位置と、前記本体に対して起立した第２の位置との間で回転できるとともに、表示部を有する表示ユニットと、前記表示ユニットの設置角度を感知する感知部と、前記感知部で前記表示ユニットの設置角度の変化を感知した際に、前記表示部の輝度および色彩をユーザが見易いように調整する制御部と、を具備する。
【００１０】
前記目的を達成するため、本発明の他の形態に係る電子機器は、本体ユニットと、前記本体ユニットに対して被さった第１の位置と、前記本体に対して起立した第２の位置との間で回転できる表示ユニットと、前記表示ユニットの設置角度を抵抗値の変化で感知する可変抵抗器と、前記本体ユニットの内部に収容されるとともに、前記可変抵抗器で感知された抵抗値の変化量を累積して記憶する記憶部と、を具備する。
【発明の効果】
【００１１】
上記の構成によれば、表示ユニットの位置に応じて制御を加えることができる電子機器を提供することにある。
【図面の簡単な説明】
【００１２】
【図１】第１の実施形態に係るポータブルコンピュータを示す斜視図。
【図２】図１に示すポータブルコンピュータの制御構成を示したブロック図。
【図３】図１に示すポータブルコンピュータのヒンジ部の周囲を拡大して示した斜視図。
【図４】図３に示すポータブルコンピュータの感知部である可変抵抗器を示した斜視図。
【図５】第１の実施形態にかかるポータブルコンピュータのヘッド退避動作を示したフローチャート。
【図６】第２の実施形態にかかるポータブルコンピュータの感知部であるロータリエンコーダを示した斜視図。
【図７】第３の実施形態にかかる電子ブックのページ送り動作を示したフローチャート。
【図８】第３の実施形態にかかる電子ブックの第２のユニットが第２の位置にある状態を示した斜視図。
【図９】図８に示す電子ブックの第２のユニットを第２の位置から第３の位置に移動させた状態を示した斜視図。
【図１０】第３の実施形態にかかる電子ブックの変形例を示した斜視図。
【図１１】第４の実施形態にかかるポータブルコンピュータの表示部の輝度・色彩の最適化の流れを示したフローチャート。
【図１２】第５の実施形態にかかるポータブルコンピュータのヒンジ部の保守交換の判断の流れを示したフローチャート。
【発明を実施するための形態】
【００１３】
以下に、図１から図５を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１４】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。表示ユニット１３は、本体ユニット１２に対して被さった第１の位置Ｐ１と、本体ユニット１２に対して起立した第２の位置Ｐ２との間で回転できる。
【００１５】
表示ユニット１３は、表示部２１と、表示部２１の周囲を取り囲む合成樹脂製のディスプレイケース２２と、を有している。表示部２１の一例として、本実施形態では、例えば液晶ディスプレイが用いられている。ディスプレイケース２２は、金属製のものでもよい。
【００１６】
図１から図４に示すように、本体ユニット１２は、例えば、合成樹脂によって箱状に形成される本体ケース２３と、本体ケース２３の上面に取り付けられたキーボード２４およびタッチパッド２５と、本体ケース２３の内部に収容されたプリント回路板２６と、を備えている。図１では、キーボード２４のうち、一部のキーのみを示している。
【００１７】
また、本体ユニット１２は、ハードディスクドライブ２７（ＨＤＤ）と、不揮発性メモリ２８と、リアルタイムクロック３１（ＲＴＣ）と、ＥＣ３２（エンベデッドコントローラ）と、電源回路３３と、可変抵抗器３４と、表示コントローラ３５と、バッテリ３６、をそれぞれ本体ケースの内部に収容している。本体ユニット１２は、ＡＣアダプタ３７を外部に有している。
【００１８】
プリント回路板２６は、プリント配線板２６Ａと、プリント配線板２６Ａ上に固定されたＣＰＵ４１と、プリント配線板２６Ａ上に固定されたメインメモリ４２と、プリント配線板２６Ａ上に固定されたＢＩＯＳ−ＲＯＭ４３と、を有している。本発明にいう制御部は、例えば、ＣＰＵ４１、メインメモリ４２、不揮発性メモリ２８、ＢＩＯＳ−ＲＯＭ４３、ＥＣ３２、ソフトウェアで構成されるフィルタドライバ、ハードディスクコントローラ３８、表示コントローラ３５などを含んだ概念である。
【００１９】
可変抵抗器３４は、例えば、ヒンジ部１４の軸部１４Ａの一方の端部に固定されている。可変抵抗器３４は、表示ユニット１３の設置角度を感知する感知部の一例である。この可変抵抗器３４は、例えば、０Ωから１００Ωの範囲で抵抗値を変化させることができる。表示ユニット１３の設置角度は、抵抗値（絶対値）を利用して計測され、例えば、表示ユニット１３が本体ユニット１２に対して９０°の角度をなしているときに、抵抗値が５０Ωとなるように設定される。
【００２０】
図４に示すように、可変抵抗器３４は、本体部分４４と、回転軸部４９と、本体部分４４から突出した端子部４５と、例えば本体部分４４から「Ｌ」字形に突出した固定部４６と、を有している。この可変抵抗器３４は、表示ユニット１３が第１の位置Ｐ１にあることを検出するための検出スイッチを兼ねている。すなわち、制御部は、可変抵抗器３４で感知された抵抗値が５Ω以下である場合には、表示ユニット１３が閉じた状態と判断する。ハードディスクドライブ２７は、磁気ディスク４７と、磁気ディスク４７に対して情報の読み書きを行うヘッド４８と、を有している。
【００２１】
続いて、図５を参照して、本実施形態のハードディスクドライブ２７のヘッド退避の制御について説明する。まず、ユーザが表示ユニット１３を操作して、表示ユニット１３の設置角度を調整したとする。
【００２２】
このとき、所定値を越える抵抗値の変化をＥＣ３２において感知すると（ステップＳ１１）、制御部のフィルタドライバがヘッド退避指令を発令する（ステップＳ１２）。ヘッド退避指令に従って、ハードディスクドライブ２７でヘッド４８が磁気ディスクから退避した退避位置に移動される（ステップＳ１３）。そして、表示ユニット１３の操作から所定時間経過した後に、抵抗値の変化量が所定値以下となったことがＥＣ３２によって感知された場合（ステップＳ１４）には、制御部のフィルタドライバは、ハードディスクドライブ２７におけるヘッド退避動作を解除する（ステップＳ１５）。また、ステップＳ１１において、ＥＣ３２が所定値以上の抵抗値の変化量を感知しなかった場合には、ステップＳ１４において再度抵抗値の変化量が所定値以下であることを確認し、ハードディスクドライブ２７のヘッド退避動作を解除する。
【００２３】
第１の実施形態によれば、ポータブルコンピュータ１１は、本体ユニット１２と、本体ユニット１２の内部に収容されるとともに、磁気ディスク４７に対して情報の読み書きを行うヘッド４８を有したハードディスクドライブ２７と、本体ユニット１２に対して被さった第１の位置Ｐ１と、本体ユニット１２に対して起立した第２の位置Ｐ２との間で回転できる表示ユニット１３と、表示ユニット１３の設置角度を感知する感知部と、感知部で表示ユニット１３の設置角度の変化を感知した際に、ヘッド４８を退避位置に退避させる制御部と、を具備する。
【００２４】
この構成によれば、感知部で表示ユニット１３の動きを感知した際に、次の瞬間に衝撃がくることを予想して、制御部がヘッド４８を退避位置に移動させることができる。これによって、例えばユーザが表示ユニット１３の設置角度を操作した場合などに、ハードディスクドライブ２７の磁気ディスク４７が破損してしまうことを防止することができる。
【００２５】
また、本実施形態において、感知部は、可変抵抗器３４である。この構成によれば、感知部を簡単かつ安価な構造で実現することができる。また、感知部は、表示ユニット１３が第１の位置Ｐ１にあることを検出する検出スイッチを兼ねているので、検出スイッチを別途に設ける場合に比して、部品点数を削減することができる。
【００２６】
続いて、図６を参照して、電子機器の第２の実施形態について説明する。第２の実施形態の電子機器の一例であるポータブルコンピュータ１１は、可変抵抗器に代えてロータリエンコーダが用いられる点で第１の実施形態のものと異なっているが、他の部分は共通している。このため、主として第１の実施形態と異なる部分について説明し、共通する箇所については共通の符号を付して説明を省略する。第２の実施形態のポータブルコンピュータ１１は、図１に示すものと同様の外観を有する。
【００２７】
本実施形態では、感知部の一例として、ロータリエンコーダ５１が用いられている。ロータリエンコーダ５１は、本体部分４４と、本体部分４４から突出した回転軸部４９と、を有している。本体部分４４は、本体ケース２３に例えばねじ止め等によって固定されている。第２の実施形態のポータブルコンピュータ１１は、ＥＣ３２においてロータリエンコーダ５１のパルスを検出すると、制御部のフィルタドライバがヘッド退避指令を発令する。こうして、予めハードディスクドライブ２７に加えられる衝撃を予測して、ヘッド４８を安全な位置に退避させることが可能となる。
【００２８】
本実施形態によれば、感知部は、ロータリエンコーダ５１であるため、感知部を簡単且つ安価な構造で実現することができる。
【００２９】
続いて、図７から図１０を参照して、電子機器の第３の実施形態について説明する。第３の実施形態の電子機器の一例である電子ブックは、その外観が第１の実施形態のものと異なっているが、内部構造その他の部分は概ね共通している。このため、主として第１の実施形態と異なる部分について説明し、共通する箇所については共通の符号を付して説明を省略する。
【００３０】
電子ブック６１は、内蔵された記憶装置に記憶された小説等の文書を第１の表示部および第２の表示部に表示して、ユーザの読書等に用いられるものである。
【００３１】
図８に示すように、電子ブック６１は、第１の表示部６４を有する第１のユニット６２と、第２の表示部６５を有する第２のユニット６３と、第１のユニット６２と第２のユニット６３との間の位置に設けられるヒンジ部１４と、を有している。ヒンジ部１４は、第１のユニット６２に対して第２のユニット６３が被さったり、第１のユニット６２に対して第２のユニット６３が開いたりできるようにこれらを連結している。すなわち、第２のユニット６３は、第１のユニット６２に対して被さった第１の位置Ｐ１と、第１のユニット６２に対して開いた第２の位置Ｐ２と、第１の位置Ｐ１と第２の位置Ｐ２との略中間に位置する第３の位置Ｐ３と、の間で回転することができる。第１の表示部６４および第２の表示部６５は、それぞれ例えば液晶ディスプレイで構成されている。
【００３２】
続いて、図７から図９を参照して、本実施形態の電子ブック６１のページ送り動作について説明する。まず、図８に示すように、第２のユニット６３が第２の位置Ｐ２にある状態において、第２のユニット６３が第１のユニット６２に対して例えば１００°〜１８０°開いていることを可変抵抗器３４を介してＥＣ３２が感知する（ステップＳ２１）。このとき、具体的には、抵抗値は、５０Ωから９０Ωの範囲内の値として測定される。この状態では、例えば第１の表示部６４および第２の表示部６５に文書の第１のページおよび第２のページ（当該ページ）が表示されている。
【００３３】
続いて、ユーザが第１のユニット６２および第２のユニット６３に対して閉じ動作を行って、第２のユニット６３が第３の位置Ｐ３になると、ＥＣ３２は、第２のユニット６３が第１のユニット６２に対して例えば４５°〜９０°の位置まで閉じたことを感知する（ステップＳ２２）。このとき、具体的には、抵抗値は、２２．５Ωから４５Ωの範囲内の値として測定される。
【００３４】
そして、再びユーザが第１のユニット６２および第２のユニット６３に対して開き動作を行って、第２のユニット６３が第２の位置Ｐ２になると、ＥＣ３２は、第２のユニット６３が第１のユニット６２に対して例えば１００°から１８０°開いたことを感知する（ステップＳ２３）。このとき、抵抗値は、５０Ωから９０Ωの範囲内の値として測定される。
【００３５】
これらステップＳ２１からＳ２３が所定の時間内、すなわち、本実施形態では、例えば１秒以内になされた場合には、制御部（ＯＳ）は、ページ送り動作がなされたと判断する。そして、制御部（ＯＳ）は、第１の表示部６４および第２の表示部６５の表示を第１のページおよび第２のページ（当該ページ）から、第３のページおよび第４のページ（次ページ）に切り換える（ステップＳ２４）。
【００３６】
一方、ページ戻しを行う場合には、まず、通常の使用状態にあるときに、ＥＣ３２は、第２のユニット６３が第１のユニット６２に対して例えば１００°〜１８０°開いていることを感知する。この状態では、例えば第１の表示部６４および第２の表示部６５に文書の第３のページおよび第４のページ（当該ページ）が表示されている。
【００３７】
この状態から、ユーザが一旦第２のユニット６３を第１のユニット６２に完全に被さった状態にすると、ＥＣ３２は、第２のユニット６３が第１の位置Ｐ１になったことを感知する。そして、再びユーザが第１のユニット６２および第２のユニット６３に対して開き動作を行って、第２のユニット６３を第２の位置Ｐ２にすると、ＥＣ３２は、第２のユニット６３が第１のユニット６２に対して例えば１００°から１８０°開いたことを感知する。これらステップが所定の時間内、すなわち、本実施形態では、例えば１秒間になされた場合には、制御部（ＯＳ）がページ戻し動作がなされたと判断する。そして、制御部（ＯＳ）は、第１の表示部６４および第２の表示部６５の表示を第３のページおよび第４のページ（当該ページ）から、第１のページおよび第２のページ（前のページ）に切り換える。このようにして、ページ戻し作業が実行される。
【００３８】
本実施形態によれば、電子ブック６１は、第１の表示部６４を有した第１のユニット６２と、第１のユニット６２に対して被さった第１の位置Ｐ１と、第１のユニット６２に対して開いた第２の位置Ｐ２と、第１の位置Ｐ１と第２の位置Ｐ２との略中間に位置する第３の位置Ｐ３と、の間で回転できるとともに、第２の表示部６５を有した第２のユニット６３と、第１の表示部６４および第２の表示部６５に文書の当該ページを表示させるとともに、所定の時間内に第２のユニット６３を第２の位置Ｐ２から第３の位置Ｐ３に移動させ、且つ第３の位置Ｐ３から第２の位置Ｐ２に戻した際に、第１の表示部６４および第２の表示部６５に文書の当該ページの次にある次ページを表示させる制御部と、を具備する。
【００３９】
この構成によれば、ユーザが開状態にある第２の位置Ｐ２から、半閉じ状態である第３の位置Ｐ３にして、再び開状態である第２の位置Ｐ２に第２のユニット６３を移動させることによって、簡単に文書のページ送りをすることができる。これによって、例えば第１の表示部６４および第２の表示部６５にあるページ送りのアイコン等を操作することがなく、ユーザが簡単でかつ直感的なページの送り動作を行うことができる。
【００４０】
なお、電子ブック６１は、図１０に示すように、第１のユニット６２と第２のユニット６３とに、それぞれ指を掛けるためのベルト６６を設けてもよい。このようにベルト６６を設けた場合には、ユーザは片手（左手）で電子ブック６１の開閉の操作をすることができる。また、第１のユニット６２および第２のユニット６３を開閉する際に必要な力が小さく、且つ、第２のユニット６３の重量が十分に大きい場合には、第２のユニット６３に設けたベルト６６を省略することもできる。
【００４１】
続いて、図１１を参照して、電子機器の第４の実施形態について説明する。第４の実施形態の電子機器の一例であるポータブルコンピュータ１１は、表示部２１の輝度等を制御する点でハードディスクドライブ２７のヘッド４８を退避する第１の実施形態のものと異なっているが、他の部分は共通している。このため、主として第１の実施形態と異なる部分について説明し、共通する箇所については共通の符号を付して説明を省略する。第４の実施形態のポータブルコンピュータ１１は、図１に示すものと同様の外観を有する。
【００４２】
第４の実施形態では、まず、図１に示すような通常の使用状態において、ＥＣ３２は、表示ユニット１３が解放されたことを感知している（ステップＳ３１）。また、このとき、ＥＣ３２が可変抵抗器３４を介して感知している現在の抵抗値は、メインメモリ４２等に基準抵抗値として記憶される（ステップＳ３２）。この状態で、ユーザが表示ユニット１３の設置角度を操作すると（ステップＳ３３）、ＥＣ３２は、可変抵抗器３４を介して抵抗値を感知する（ステップＳ３４）。さらに、制御部（ＯＳ）は、基準抵抗値に対する現在の抵抗値の変化量に基づいて、表示部２１の輝度・色彩を最適化して、ユーザに対して最も見やすいような制御を行う（ステップＳ３５）。具体的には、ユーザの目に対して表示ユニット１３が斜めになる場合には、例えば、輝度を高くし、かつ、色彩を濃い色にするような制御が行われる。
【００４３】
第４の実施形態によれば、ポータブルコンピュータ１１は、本体ユニット１２と、本体ユニット１２に対して被さった第１の位置Ｐ１と、本体ユニット１２に対して起立した第２の位置Ｐ２との間で回転できるとともに、表示部２１を有する表示ユニット１３と、表示ユニット１３の設置角度を感知する感知部と、感知部で表示ユニット１３の設置角度の変化を感知した際に、表示部２１の輝度および色彩をユーザが見易いように調整する制御部と、を具備する。
【００４４】
この構成によれば、表示ユニット１３の設置角度の変化した場合にも、表示部２１の輝度および色彩の調整を自動的に行って、ユーザが最も見易いように表示部２１を表示することができる。これによって、ユーザが表示ユニット１３の設置角度を操作した際に、個別に輝度・色彩を微調整する必要がなく、ユーザによる表示部２１の視認性を向上できる。
【００４５】
続いて、図１２を参照して、電子機器の第５の実施形態について説明する。第５の実施形態の電子機器の一例であるポータブルコンピュータ１１は、抵抗値の変化量で表示ユニット１３の開閉回数を測定する点で、ハードディスクドライブ２７のヘッド４８を退避する第１の実施形態のものと異なっているが、他の部分は共通している。このため、主として第１の実施形態と異なる部分について説明し、共通する箇所については共通の符号を付して説明を省略する。第５の実施形態のポータブルコンピュータ１１は、図１に示すものと同様の外観を有する。
【００４６】
第５の実施形態では、可変抵抗器３４で測定した抵抗値の変化を表示ユニット１３の開閉回数をカウントする手段として利用する。ポータブルコンピュータ１１は、本体ユニット１２の内部に、記憶部の一例である不揮発性メモリ２８やハードディスクドライブ２７を収容している。
【００４７】
ユーザが通常の使用において、表示ユニット１３を開いたり、閉じたりする（ステップＳ４１）。このとき、ＥＣ３２は、可変抵抗器を介して抵抗値の変化量を感知する（ステップＳ４２）。このＥＣ３２で感知された抵抗値の変化量は、制御部（ＯＳ）において表示ユニット１３の開閉回数に換算され、開閉回数の累積値が、記憶部の一例である不揮発性メモリ２８やハードディスクドライブ２７に記憶される（ステップＳ４３）。さらに、制御部では、この開閉回数の累積値が保守交換の基準回数以上か否かを判断する（ステップＳ４４）。開閉回数の累積値が基準回数以上である場合には、制御部は、例えば表示部２１に「ユーザサポートの窓口までご連絡ください」等のメッセージを表示する（ステップＳ４５）。または、表示部２１に具体的なメッセージを表示することはせずに、開閉回数の累積値を不揮発性メモリ２８やハードディスクドライブ２７に記憶しておき、修理等でポータブルコンピュータ１１をメーカが回収した際に、ヒンジ部１４の交換の要否を判断するための判断材料としてもよい。
【００４８】
開閉回数の累積値が基準回数以下である場合には、制御部は、引き続き抵抗値の変化量を開閉回数に換算して、開閉回数の累積値を例えば不揮発性メモリ２８やハードディスクドライブ２７に記憶する（ステップＳ４４）。
【００４９】
本実施形態によれば、ポータブルコンピュータ１１は、本体ユニット１２と、本体ユニット１２に対して被さった第１の位置Ｐ１と、本体ユニット１２に対して起立した第２の位置Ｐ２との間で回転できる表示ユニット１３と、表示ユニット１３の設置角度を抵抗値の変化で感知する可変抵抗器３４と、本体ユニット１２の内部に収容されるとともに、可変抵抗器３４で感知された抵抗値の変化量を累積して記憶する記憶部と、を具備する。
【００５０】
この構成によれば、可変抵抗器３４で感知した抵抗値の変化量に基づいて、ヒンジ部１４の交換の要否を判断する判断材料にすることができる。
【００５１】
電子機器は、上記実施形態に示したポータブルコンピュータ用に限らず、例えば携帯電話機のようなその他の電子機器に対しても実施可能である。その他、電子機器は、発明の要旨を逸脱しない範囲で種々変形して実施できることは勿論である。
【符号の説明】
【００５２】
１１…ポータブルコンピュータ、１２…本体ユニット、１３…表示ユニット、１４…ヒンジ部、２１…表示部、２７…ハードディスクドライブ、３４…可変抵抗器、４７…磁気ディスク、４８…ヘッド、５１…ロータリエンコーダ、６１…電子ブック、６２…第１のユニット、６３…第２のユニット、６４…第１の表示部、６５…第２の表示部、Ｐ１…第１の位置、Ｐ２…第２の位置、Ｐ３…第３の位置
【図１】
2011170929.tif 000003
【図２】
2011170929.tif 000004
【図３】
2011170929.tif 000005
【図４】
2011170929.tif 000006
【図５】
2011170929.tif 000007
【図６】
2011170929.tif 000008
【図７】
2011170929.tif 000009
【図８】
2011170929.tif 000010
【図９】
2011170929.tif 000011
【図１０】
2011170929.tif 000012
【図１１】
2011170929.tif 000013
【図１２】
2011170929.tif 000014
【手続補正書】
【提出日】平成22年12月22日(2010.12.22)
【手続補正１】
【補正対象書類名】明細書
【補正対象項目名】００５１
【補正方法】変更
【補正の内容】
【００５１】
電子機器は、上記実施形態に示したポータブルコンピュータ用に限らず、例えば携帯電話機のようなその他の電子機器に対しても実施可能である。その他、電子機器は、発明の要旨を逸脱しない範囲で種々変形して実施できることは勿論である。
以下に、本出願の当初の特許請求の範囲に記載された発明を付記する。
［１］
本体ユニットと、
前記本体ユニットの内部に収容されるとともに、磁気ディスクに対して情報の読み書きを行うヘッドを有したハードディスクドライブと、
前記本体ユニットに対して被さった第１の位置と、前記本体に対して起立した第２の位置との間で回転できる表示ユニットと、
前記表示ユニットの設置角度を感知する感知部と、
前記感知部で前記表示ユニットの設置角度の変化を感知した際に、前記ヘッドを退避位置に退避させる制御部と、
を具備することを特徴とすることを特徴とする電子機器。
［２］
前記感知部は、可変抵抗器であることを特徴とする［１］に記載の電子機器。
［３］
前記感知部は、前記表示ユニットが前記第１の位置にあることを検出する検出スイッチを兼ねたことを特徴とする［２］に記載の電子機器。
［４］
前記感知部は、ロータリエンコーダであることを特徴とする［１］に記載の電子機器。
［５］
第１の表示部を有した第１のユニットと、
前記第１のユニットに対して被さった第１の位置と、前記第１のユニットに対して開いた第２の位置と、前記第１の位置と前記第２の位置との略中間に位置する第３の位置と、の間で回転できるとともに、第２の表示部を有した第２のユニットと、
前記第１の表示部および前記第２の表示部に文書の当該ページを表示させるとともに、所定の時間内に前記第２のユニットを前記第２の位置から前記第３の位置に移動させ、且つ前記第３の位置から前記第２の位置に戻した際に、前記第１の表示部および前記第２の表示部に前記文書の当該ページの次にある次ページを表示させる制御部と、
を具備することを特徴とする電子機器。
［６］
本体ユニットと、
前記本体ユニットに対して被さった第１の位置と、前記本体ユニットに対して起立した第２の位置との間で回転できるとともに、表示部を有する表示ユニットと、
前記表示ユニットの設置角度を感知する感知部と、
前記感知部で前記表示ユニットの設置角度の変化を感知した際に、前記表示部の輝度および色彩をユーザが見易いように調整する制御部と、
を具備することを特徴とする電子機器。
［７］
本体ユニットと、
前記本体ユニットに対して被さった第１の位置と、前記本体ユニットに対して起立した第２の位置との間で回転できる表示ユニットと、
前記表示ユニットの設置角度を抵抗値の変化で感知する可変抵抗器と、
前記本体ユニットの内部に収容されるとともに、前記可変抵抗器で感知された抵抗値の変化量を累積して記憶する記憶部と、
を具備することを特徴とする電子機器。
【手続補正２】
【補正対象書類名】特許請求の範囲
【補正対象項目名】全文
【補正方法】変更
【補正の内容】
【特許請求の範囲】
【請求項１】
第１ユニットと、
前記第１ユニットの内部に収容されるとともに、磁気ディスクに対して情報の読み書きを行うヘッドを有したハードディスクドライブと、
前記第１ユニットに対して被さった第１の位置と、前記第１ユニットに対して起立した第２の位置との間で回転できる第２ユニットと、
前記第２ユニットの開閉角度を感知するとともに前記第２ユニットが前記第１の位置にあることを検出する検出スイッチを兼ねた感知部と、
前記感知部で前記第２ユニットの開閉角度の変化を感知した際に、前記ヘッドを退避位置に退避させる制御部と、
を具備することを特徴とすることを特徴とする電子機器。
【請求項２】
前記感知部は、可変抵抗器であることを特徴とする請求項１に記載の電子機器。
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
表示部が設けられた第１ユニットと、
前記表示部が覆われる第１の角度と、前記表示部が露出される第２の角度と、前記第１の角度と前記第２の角度との間に位置する第３の角度との間で回転可能に前記第１ユニットと接続された第２ユニットと、
前記第２ユニットに収容され、ヘッドを有したハードディスクドライブと、
前記第１ユニットと前記第２ユニットとの開閉角度を感知する感知部と、
前記感知部で前記第１ユニットと前記第２ユニットとが、前記第３の角度から動いた場合に前記ヘッドを退避位置に位置させる制御部と、
を具備することを特徴とする電子機器。
【請求項２】
前記制御部は、前記感知部で前記第１ユニットと前記第２ユニットとが、前記第１の角度と前記第３の角度との間に位置する状態を感知した場合、前記ヘッドを退避位置に位置させ、前記第２の角度と前記第３の角度との間に位置する状態を感知した場合、前記ヘッドを前記退避位置から外すことを特徴とする請求項１に記載の電子機器。
【請求項３】
前記第２の角度は、前記第１ユニットと前記第２ユニットとを最大限開いた角度であり、
前記制御部は、前記感知部で前記第１ユニットと前記第２ユニットとが、前記第２の角度と前記第３の角度との間に位置する状態を感知した場合、前記ヘッドを退避位置に位置させ、前記第１の角度と前記第３の角度との間に位置する状態を感知した場合、前記ヘッドを前記退避位置から外すことを特徴とする請求項１に記載の電子機器。
【請求項４】
表示部が設けられた第１ユニットと、
前記表示部が覆われる第１角度と、前記表示部が露出される第２角度と、前記第１角度と前記第２角度との間に位置する第３角度との間で回転可能に前記第１ユニットと接続された第２ユニットと、
前記第２ユニットに収容され、ヘッドを有したハードディスクドライブと、
前記第１ユニットと前記第２ユニットとが、前記第１角度と前記第３角度との間に位置する場合は前記ヘッドを退避位置に位置させ、前記第２角度と前記第３角度との間に位置する場合は前記ヘッドを退避位置から外す制御部と、
を具備することを特徴とする電子機器。
【請求項５】
表示部が設けられた第１ユニットと、
前記表示部が覆われる第１角度と、前記表示部が露出される第２角度と、前記第１角度と前記第２角度との間に位置する第３角度との間で回転可能に前記第１ユニットと接続された第２ユニットと、
前記第２ユニットに収容され、ヘッドを有したハードディスクドライブと、
前記第１ユニットと前記第２ユニットとが、前記第３角度以下に閉じた場合は前記ヘッドを退避位置に位置させ、前記第３角度よりも開いた場合は前記ヘッドを退避位置から外す制御部と、
を具備することを特徴とする電子機器。
【請求項６】
表示部が設けられた第１ユニットと、
前記表示部が覆われる第１角度と、前記表示部が露出される第２角度と、前記第１角度と前記第２角度との間に位置する第３角度との間で回転可能に前記第１ユニットと接続された第２ユニットと、
前記第２ユニットに収容され、ヘッドを有したハードディスクドライブと、
前記第１ユニットと前記第２ユニットとが、前記第３角度以上に開いた場合は前記ヘッドを退避位置に位置させ、前記第３角度よりも閉じた場合は前記ヘッドを退避位置から外す制御部と、
を具備することを特徴とする電子機器。